(57)【要約】【課題】高精細な表示を行うことができるディスプレイシステムを廉価に提供する。【解決手段】表示システムは１次ディスプレイＡ、Ｂ、Ｃ（１４、１５、１６）および２次ディスプレイ１７からなり、１次ディスプレイの映像表示を２次ディスプレイに書き込んで表示する。映像情報は複数のサブ映像情報に分割して、一つずつ１次ディスプレイに表示し、これを２次ディスプレイの該当する領域に順次書き込んで、２次ディスプレイ上で全サブ映像表示を蓄積、合成することにより表示が完成する。これにより２次ディスプレイの解像度は、１次ディスプレイの解像度に分割数を掛けた値に向上する。２次ディスプレイは記憶作用のある光書き込み型パネルで構成するので、パネルには画素や駆動用ＩＣや配線が不要であり、部品数が減って製造容易となる。【選択図】　　　図１
2004104641.tif 000002
【特許請求の範囲】
【請求項１】
映像情報を表示するディスプレイシステムにおいて、
１次ディスプレイ及び２次ディスプレイの少なくとも２組のディスプレイを設け、
一つの映像情報を複数のサブ映像情報に分割し、このサブ映像情報を複数回に分けて１次ディスプレイに順次表示し、
前記１次ディスプレイに表示したサブ映像情報を２次ディスプレイの該当する領域に順次投影して蓄積し、最終的に合成されて完成した映像情報を前記２次ディスプレイに表示することを特徴とするディスプレイシステム。
【請求項２】
請求項１に記載のディスプレイシステムにおいて、
２次ディスプレイは光によって情報の書き込みを行う、光書き込み型ディスプレイであることを特徴とするディスプレイシステム。
【請求項３】
請求項１に記載のディスプレイシステムにおいて、
２次ディスプレイはメモリー性を有する液晶ディスプレイであることを特徴とするディスプレイシステム。
【請求項４】
請求項１に記載のディスプレイシステムにおいて、
１次ディスプレイは少なくとも３個のディスプレイ手段からなり、うち１個は映像情報を受けて映像を表示し、他のディスプレイ手段は角度信号を受けて先の１個を照射する光の入射方向を制御するか、あるいは先の１個から出射される光の反射方向を制御することにより、２次ディスプレイ上での映像の投影位置を定めることを特徴とするディスプレイシステム。
【請求項５】
請求項４に記載のディスプレイシステムにおいて、
１次ディスプレイの複数のディスプレイ手段はいずれも微細ミラー装置であることを特徴とするディスプレイシステム。
【請求項６】
請求項４に記載のディスプレイシステムにおいて、
１次ディスプレイの複数のディスプレイ手段のうち映像を表示する１個は自発光型のＥＬディスプレイであり、
光の方向を制御する他のディスプレイ手段はいずれも微細ミラー装置であることを特徴とするディスプレイシステム。
【請求項７】
請求項４に記載のディスプレイシステムにおいて、
１次ディスプレイの複数のディスプレイ手段のうち映像を表示する１個は書き込み光源によって照明される透過型の液晶ディスプレイであり、
光の方向を制御する他のディスプレイ手段はいずれも微細ミラー装置であることを特徴とするディスプレイシステム。
【発明の詳細な説明】
【０００１】
【発明の属する技術分野】
本発明は映像情報を表示するプロジェクタ用のディスプレイシステムに関するものである。
【０００２】
【従来の技術】
従来、映像情報を表示するための種々のシステムが開発されてきた。例えば、液晶を用いたディスプレイでは図１２に示すものがあり、これは上下のガラス基板１、２にそれぞれ縞状の透明電極３、４を形成して、これら上下のガラス基板１、２の間に液晶５を挟み込んで周囲を封止したもので、上下の縞状の透明電極３、４が重なる部分が画素となり、画素群はマトリクスを構成している。表示品位のパラメータの一つである精細度は、この画素の数と画素間のピッチによって定まる。
【０００３】
また、微細ミラー装置とでもいうべき素子があって、これは図２、図３に示すように、基板２１上にアルミ箔などの小さなミラー２２をマトリクス状に多数配置したもので、前記ミラー２２の傾斜角度を一つずつ独立に制御することにより映像を表示する。市販品にテキサス・インスツルメンツ社のＤＭＤ（デジタル・マイクロミラー・デバイス）という商品名のものがあるが、これを用いたディスプレイにおいても、ミラーの数が表示画像の解像度を決定する。
【０００４】
画像表示は解像度が高いほど高品位となる。即ち前記液晶ディスプレイでは画素数が多いほど、また前記ＤＭＤによるディスプレイでは、ミラーの数が多いほど高品位の映像を表示することが可能となる。
【０００５】
下記の特許文献１が投射型の液晶表示装置を開示しており、これはＥＬ発光素子部と液晶シャッタ部を一体化した画像書き込み素子と、液晶層と光導電体層を挟持する光変調素子の双方を備えていて、前者の表示画像を書き込み光として後者に画像書き込みする構成であり、自発光型ディスプレイと光アドレス型ディスプレイを併有する点は本願発明に相通じるが、光変調素子に書き込まれる画像の解像度は画像書き込み素子の解像度と同等であるに止まり、本願発明のように両者の間で解像度が改善されるものではない。
【０００６】
【特許文献１】
特開平４−１５６５８５号公報　（第１頁−第２頁、第１図−第７図）
【０００７】
【発明が解決しようとする課題】
従来のディスプレイは、個々の画素やミラーをそれぞれ独立に電気信号で制御して表示を行うので、電気信号を印加するための駆動用ＩＣが必要となる。このような表示方式（通常、電気アドレス方式と呼ばれる）では、表示品位を上げるために単位面積内の画素やミラーの数を増さねばならず、その結果、画素やミラーの面積が小さくなるとともに駆動用ＩＣの数も増え、また信号出力も多くなって信号電極のピッチが細かくなるために、パネルとの接続等も技術上非常に困難となり、生産コストを上げる原因となっていた。そこで、本発明は、画素数が従来と同程度のディスプレイを用いて、製品コストを上げることなく表示品位を上げるディスプレイシステムを提供することを目的としている。
【０００８】
【課題を解決するための手段】
上記目的を達成するために本発明では、以下の手段を用いる。
【０００９】
映像情報を表示するために、１次、２次の少なくとも二つのディスプレイを用い、映像情報をまず１次ディスプレイに表示し、１次ディスプレイの表示映像を２次ディスプレイに投影してこれに書き込みし、２次ディスプレイ上の映像をスクリーン等に投影する。この時、一つの映像情報を一度に２次ディスプレイに書き込むのでなく、映像情報を複数のサブ映像情報に分割し、個々のサブ映像情報毎に上記の手順を行う。すなわち、まず最初のサブ映像情報を１次ディスプレイに表示して、これを２次ディスプレイに投影して書き込み後、次のサブ映像情報について同様のことを行う。これを分割されたサブ映像情報の数だけ繰り返して、最終的に、完成した映像情報を２次ディスプレイに表示させる。
【００１０】
サブ映像情報は１次ディスプレイの全表示面を使って表示するが、２次ディスプレイにおいてはそれが占めるべき部分的な領域に投影する。従って、それぞれのサブ映像情報毎に２次ディスプレイ上の投影位置が異なり、同一箇所に複数のサブ映像情報が重ね書きされることはない。２次ディスプレイにはサブ映像情報が、順次、投影され蓄積されて、全サブ映像情報を書き込むことにより、２次ディスプレイ上の映像が完成する。
【００１１】
上記の構成にて、光により書き込みを行う光書き込み型ディスプレイを２次ディスプレイに用いることにより、２次ディスプレイにはあらかじめ画素を形成しておく必要がなくなり、また駆動用のＩＣも必要なくなる。従ってディスプレイの構成を非常に簡単にでき、生産コスト等を抑制できる。
【００１２】
また、２次ディスプレイにはメモリー型液晶パネル（例えば強誘電性液晶）を用いることにより、特殊なメモリー素子等を用いることなく、複数個のサブ映像情報に分けて書き込まれた映像情報を液晶パネル自身で保持する。これによっても２次ディスプレイの構成が非常に単純になる。
【００１３】
【発明の実施の形態】
以下、本発明の実施形態を図面に基づいて詳細に説明する。図１はその構成図である。本実施形態の１次ディスプレイは、１次ディスプレイＡ、Ｂ、Ｃ（１４、１５、１６）の三つのディスプレイ手段からなり、１次ディスプレイＣ（１６）はサブ映像情報を表示し、１次ディスプレイＡ、Ｂ（１４、１５）は１次ディスプレイＣ（１６）を照射する光の角度を制御する。１７は最終的に映像を表示する２次ディスプレイである。
【００１４】
さらに、１次ディスプレイに入射光を送り、１次ディスプレイを経由して２次ディスプレイ１７に映像情報を書き込む書き込み光源１１、２次ディスプレイ１７の映像情報を読み出すための光を送る読み出し光源１８、各光源からの光を平行光に変換するためのレンズ１２とミラー１３およびレンズ１９、それにハーフミラー２０でディスプレイシステムを構成する。
【００１５】
三つの１次ディスプレイＡ、Ｂ、Ｃ（１４、１５、１６）は、いずれも図２、図３に示すようなＤＭＤ（デジタル・マイクロミラー・デバイス）で、図２は平面図、図３は正面図である。シリコン基板２１上にＣＭＯＳ−ＳＲＡＭを形成し、その上に縦４８０個×横６４０個の微細なミラー２２が支点２３を用いて設けてあり、ミラー２２は前記メモリのデータに応じて静電気力により図３に示すように二通りに傾斜して、反射光の角度を二つの方向のどちらかに振り向ける。全てのミラーは独立して角度を制御でき、応答速度は速くてフレーム時間２０μｓの映像表示に対応する。
【００１６】
図１にて、１次ディスプレイＣ（１６）は、その上の各ミラー２２（図３）が、表示するサブ映像情報に応じた姿勢を取ることにより表示映像を形成する。また、１次ディスプレイＡ（１４）と１次ディスプレイＢ（１５）は、１次ディスプレイを照明する光の入射角度を制御して、１次ディスプレイＣ（１６）の表示映像を２次ディスプレイ１７の所定の領域に投影させるもので、１次ディスプレイＡ（１４）は照明光の水平方向の入射角度（紙面に平行な方向）を制御し、１次ディスプレイＢ（１５）は垂直方向の入射角度（紙面に垂直な方向）を制御する。
【００１７】
図４は図１のディスプレイシステムの制御系のブロック図である。パソコン等による映像情報はまず映像情報分割回路３１に入力され、この回路によって所定のサブ映像情報に分割される。一例として、本実施形態では図９に示すように四つのサブ映像情報（第１サブ映像情報〜第４サブ映像情報）に分割する。４分割されたサブ映像情報は映像情報制御回路３２へ入力される。
【００１８】
映像情報制御回路３２からは角度制御回路３３へ制御信号が伝達される。この回路は１次ディスプレイＡ（図１の１４）およびＢ（図１の１５）を操作して、これらのディスプレイからの出射光の角度を制御する。また映像情報制御回路３２から出力される別の信号が、サブ映像表示回路３４と映像表示回路３５に入力される。サブ映像表示回路３４は１次ディスプレイＣ（図１の１６）を駆動してサブ映像を表示させる信号を出力し、映像表示回路３５はこれに同期して２次ディスプレイ１７（図１）を駆動する信号を出力する。
【００１９】
図５は２次ディスプレイ１７（図１）に用いる光書き込み型の強誘電性液晶パネルの概略断面図である。下側のガラス基板４１ｂ上には５００オングストローム厚の透明電極４２ｂを形成して、その上に、光導電層４３として約５μｍの厚みでａ−Ｓｉ：Ｈ膜を成膜し、さらにその膜上に読み出し光の反射膜として１μｍの厚みの誘電ミラー４４を積層し、その上に液晶の配向膜４５ｂとしてＳｉＯ膜を６００オングストロームの厚みで蒸着してある。
【００２０】
また、上側のガラス基板４１ａには約５００オングストローム厚の透明電極４２ａを形成し、その上に配向膜４５ａとして約６００オングストローム厚のＳｉＯ膜を蒸着してある。この２枚のガラス基板４１ａ、４１ｂ間のギャップを約１μｍにして強誘電性液晶４６を狭持し、シール材４７で周囲を封止する。このような液晶セルの上面に偏光板４８を重ねる。透明電極４２ａ、４２ｂはそれぞれガラス基板４１ａ、４１ｂの全面を覆う単一の電極であって、画素を構成しない。
【００２１】
上記のような光アドレス型ディスプレイの動作原理を簡単に説明する。透明電極４２ａ、４２ｂに電圧が印加されていても、光電導層４３が液晶セルの下方からの光で照射されてない場合には、光導電層４３の抵抗値が高いために液晶層（４６）には電圧がかからず、液晶はスイッチングしないが、下から光が照射されると、その部分の光電導層４３の抵抗値が低くなり、透明電極４２ａ、４２ｂに印加されていた電圧が液晶層（４６）にかかって液晶のスイッチングが行われる。こうして液晶セルの下方からの照射光によって強誘電性液晶４６に書き込みを行い、逆に液晶セルの上方からの入射光によって表示情報を読み出す。遮光層である誘電ミラー４４が書き込み側と読み出し側間の光の伝播を遮断する。
【００２２】
図６に、強誘電性液晶パネルを用いた透過型ディスプレイの例を示して、強誘電性液晶で構成する表示装置の動作を説明する。この図の液晶セル５３は、図５の液晶セル（偏光板４８を含まない部分）から誘電ミラー４４を省いて透過型にした構成である。それぞれの偏光軸５１ａ、５２ａをほぼ直交させた（クロスニコル）２枚の偏光板５１、５２の間に、液晶セル５３を配置してある。後述するように、強誘電性液晶は電圧の印加によって、第１の強誘電状態または第２の強誘電状態のどちらかの強誘電状態を取り、電圧の無印加時にはその状態を維持する。
【００２３】
図６にて、矢印５３ａと５３ｂがそれぞれの強誘電状態における強誘電性液晶の分子の長軸方向を表す。２枚の偏光板５１、５２の偏光軸５１ａ、５２ａのどちらか一方と、二つの強誘電状態を表す矢印５３ａ、５３ｂのどちらか一方が平行になるように、液晶セル５３を置く。図６では、偏光板５２の偏光軸５２ａと、第２の強誘電状態における液晶分子長軸方向５３ｂとを平行にしてある。
【００２４】
図６のような構成の強誘電性液晶パネルでは、液晶分子長軸方向が偏光板の偏光軸の方向と一致する強誘電状態（ここでは第２の強誘電状態）を強誘電性液晶が取ると、光が透過せず強誘電性液晶パネルは黒表示（非透過状態）となる。一方、印加電圧の極性を変えれば、強誘電性液晶は偏光板の偏光軸と平行でない方の強誘電状態になり、強誘電性液晶分子が偏光軸に対してある角度を持って傾くので、光の透過が起きて白表示（透過状態）とすることができる。
【００２５】
ここでは第２の強誘電状態を偏光板の偏光軸方向に一致させたが、第１の強誘電状態の分子長軸方向５３ａと偏光板５２の偏光軸方向５２ａを一致させることもできる。その場合には第１の強誘電状態で黒表示（非透過状態）、第２の強誘電状態で白表示（透過状態）となる。強誘電性液晶パネルにはどちらの構成も使用できる。
【００２６】
図７に、この強誘電性液晶パネルに三角波の電圧を印加した場合の光の透過率の変化を示す。強誘電液晶にある値以上の正極性の電圧を印加すると第１の強誘電状態を取り、図６のような構成では、強誘電性液晶パネルは光が透過する状態が得られ、逆にある値以上の負極性の電圧を印加すると、第２の強誘電状態を取り、光が遮断されて非透過状態となる。図７から明らかなように、強誘電性液晶には履歴現象があって、一旦どちらかの強誘電状態を取ると、印加電圧が０Ｖになっても強誘電状態に応じた透過率が維持される。すなわち外部からの電圧の供給がなくとも、一度書き込まれた表示状態を保持する記憶作用を持っている。
【００２７】
図１の実施形態では、光書き込み型の２次ディスプレイ１７に図５の強誘電性液晶パネルを用いるのであり、映像の書き込みには、対向する２枚のガラス基板４１ａ、４１ｂの透明電極４２ａ、４２ｂに図８のような１００μｓのパルス幅の４位相の矩形波を印加し、この波形に同期して、１次ディスプレイＣ（１６）の表示情報が書き込み光として２次ディスプレイ（１７）を照射する。前半の２位相では２次ディスプレイ１７にパルス波高値±３０Ｖを印加し、後半の２位相では±２１Ｖを印加する。
【００２８】
強誘電性液晶パネルの閾値は約±２０Ｖであるが、前半の２位相ではこれを大幅に上回る電圧をかけるので、１次ディスプレイＣ（１６）の表示映像からの書き込み光にかかわりなく、２次ディスプレイ１７は、一旦、オフ（黒表示）になる。強誘電性液晶パネルの光導電層４３（図５）は、光が照射された領域のみ抵抗値が下がるので、後半の２位相では、２次ディスプレイ１７は、１次ディスプレイＣ（１６）の表示映像に応じて光を当てられた部分だけが、液晶層の印加電圧が閾値２０Ｖに達してオン（白表示）になる。
【００２９】
図１の実施形態にて、２次ディスプレイ１７に映像情報が表示されるまでの動作の流れを説明する。映像情報分割回路３１（図４）により、映像情報は図９に示すように第１〜第４の四つのサブ映像情報に分割される。２次ディスプレイ１７には順次このサブ映像情報が書き込まれて、全体の映像表示が完成する。
【００３０】
図１の書き込み光源１１には発光ダイオードを用いており、光源からの光はレンズ１２、ミラー１３を経て平行光線となり１次ディスプレイＡを照射する。角度制御回路３３（図４）によって１次ディスプレイＡ（１４）、Ｂ（１５）のミラー２２（図２、図３）が制御され、書き込み光源１１からの照射光を所望の角度で反射して１次ディスプレイＣ（１６）に入射する。
【００３１】
１次ディスプレイＣ（１６）上のミラー２２群はサブ映像情報回路３４（図４）によって制御され、映像情報に従って整列していて、１次ディスプレイＡ（１４）、Ｂ（１５）からの入射光を映像情報で変調して、反射光を２次ディスプレイ１７に投影する。この時、１次ディスプレイＣ（１６）が表示しているのは全体の映像でなく部分的な第１サブ映像表示であって、図９に見るように２次ディスプレイ１７の左上の領域に投影される。
【００３２】
２次ディスプレイ１７は映像表示回路３５（図４）によって制御され、所定のタイミングで電圧が印加される。このタイミングに同期して、１次ディスプレイＣ（１６）からの照射光（表示情報）が２次ディスプレイ１７に照射される。２次ディスプレイ１７は光が照射された部分の液晶層だけがスイッチングするために、１次ディスプレイＣ（１６）の映像情報が２次ディスプレイ１７に書き込まれる。
【００３３】
２次ディスプレイ１７を構成する強誘電性液晶パネルはメモリー性があるために、一度書き込まれた情報は次に光が照射されない限り表示状態が保存される。第１サブ映像情報が２次ディスプレイ１７に書き込まれた後、次の第２サブ映像情報が１次ディスプレイＣ（１６）に書き込まれ、１次ディスプレイＡ（１４）およびＢ（１５）で反射した書き込み光が１次ディスプレイＣ（１６）を照射する。
【００３４】
１次ディスプレイＡ（１４）およびＢ（１５）は角度制御回路３３（図４）からの信号により、第１サブ映像情報の場合とは異なる角度で１次ディスプレイＣ（１６）に向けて光を反射し、その結果、１次ディスプレイＣ（１６）から２次ディスプレイ１７への反射光（表示情報）も１回目とは角度が異なって、先に書き込まれた図９の第１サブ映像表示に重なることなく、その右隣に新たな表示として書き込まれる。
【００３５】
第２サブ映像情報の書き込みが終了すると、同様にして今度は第３サブ映像情報が２次ディスプレイ１７の第１サブ映像情報の下の領域に書き込まれ、次いで第４サブ映像情報が第３サブ映像情報の右隣に書き込まれる。前述のように、１次ディスプレイ群が２次ディスプレイ１７を照射するのに同期して２次ディスプレイ１７の強誘電性液晶パネルに印加する書き込み電圧は、図８の波形であるが、前半の２位相を使って表示を一旦リセットするのは第１サブ映像情報を書き込む際であって、第２サブ映像情報〜第４サブ映像情報の書き込み時には、後半の２位相の書き込み電圧だけを用いればよい。
【００３６】
第１〜第４サブ映像情報が全て２次ディスプレイ１７に書き込まれて映像表示が完成すると、図１の読み出し光源１８からの読み出し光がレンズ１９、ハーフミラー２０を経て２次ディスプレイ１７に照射され、表示映像である反射光がハーフミラー２０を通過して図示してない右方のスクリーンに投影される。以上の説明から分かるように、２次ディスプレイ１７の表示映像は１次ディスプレイＣ（１６）が全面を使って表示するサブ映像の４フレームを含むのであり、２次ディスプレイ１７は解像度が１次ディスプレイＣ（１６）の４倍になって表示品位が大幅に向上する。
【００３７】
次に、本発明の別の実施形態について説明する。図１０がその構成図であり、図１の実施形態に関連する部分があるので、図１と対比しながら説明する。本実施形態では、図１に見られる書き込み光源１１、レンズ１２およびミラー１３の光学系を廃止し、１次ディスプレイＡ、Ｂ、Ｃ（１４、１５、６１）の配列を図１と違えてある。２次ディスプレイ１７と読み出し光源１８側の光学系については図１と同様である。
【００３８】
図１の１次ディスプレイＡ、Ｂ、Ｃ（１４、１５、１６）はいずれも図２、図３に示すようなＭＤＭ（マイクロ・デバイス・ミラー）であって、表示光を反射するミラー２２群を有している。図１０の本実施形態では、１次ディスプレイＡ、Ｂ（１４、１５）は同じくＭＤＭであるが、１次ディスプレイＣ（６１）にはＤＭＤでなく自発光型の有機ＥＬディスプレイを用いる。１次ディスプレイＣ（６１）はサブ映像表示回路３４（図４）の制御を受けて、映像情報を分割したサブ映像情報を表示する。
【００３９】
１次ディスプレイＡ、Ｂ（１４、１５）は１次ディスプレイＣ（６１）のサブ映像表示を反射して、強誘電性液晶パネルで構成した光書き込み型の２次ディスプレイ１７に書き込み光として投影するが、角度制御回路３３（図４）からの信号によって、１次ディスプレイＡ（１４）は水平方向の反射角度を制御し、１次ディスプレイＢ（１５）は垂直方向の反射角度を制御する。こうして１次ディスプレイＣ（６１）のサブ映像表示は、重ならないよう領域をずらしながら、順次、２次ディスプレイ１７に書き込まれて蓄積される。
【００４０】
次に、本発明のさらに別の実施形態について説明する。図１１がその構成図であり、１次ディスプレイＡ、Ｂ、Ｃ（１４、１５、６２）の配置は先の図１０の実施形態と同様であるが、サブ映像情報を表示する１次ディスプレイＣ（６２）に、自発光型の有機ＥＬディスプレイでなく透過型の液晶ディスプレイを用いる。１次ディスプレイＣ（６２）はサブ映像表示回路３４（図４）の制御を受けて、分割された映像情報であるサブ映像情報を表示する。
【００４１】
書き込み光源１１とレンズ１２の光学系による照明光が１次ディスプレイ６２を照射し、透過光を１次ディスプレイＡ、Ｂ（１４、１５）が反射して、光書き込み型の２次ディスプレイ１７に映像情報を投影する。先の二つの実施形態と同様、１次ディスプレイＡ、Ｂ（１４、１５）は角度制御回路３３（図４）の信号を受けて、１次ディスプレイＡ（１４）は水平方向の反射角度を制御し、１次ディスプレイＢ（１５）は垂直方向の反射角度を制御する。これにより１次ディスプレイＣ（６２）のサブ映像情報が、順次、２次ディスプレイ１７に書き込まれ蓄積される。
【００４２】
前記の実施形態において、１次ディスプレイはＡ、Ｂ、Ｃの３個のディスプレイ手段からなるが系列としては１系列である。しかし１次ディスプレイを複数系列設けることも可能で、そうすれば複数のサブ映像情報を複数の１次ディスプレイに同時に表示し、２次ディスプレイの複数のサブ映像領域に同時に書き込むことができて、表示速度が上がる。
【００４３】
【発明の効果】
映像情報を分割した複数のサブ映像情報を、１次ディスプレイを用いて、順次、２次ディスプレイに書き込んで蓄積することにより、最終的に映像情報を表示する２次ディスプレイの解像度は、１次ディスプレイの解像度に映像の分割数を掛けたものとなって、表示品位が大幅に向上する。また２次ディスプレイに光アドレス型の液晶ディスプレイを用いることにより、２次ディスプレイに多数の画素や配線を設けたり、多くの駆動用ＩＣを実装したりする必要がなくなり、複雑な製造工程が不要になるとともに部品数が減って、製造コストが下がる。これにより高性能のディスプレイシステムが廉価に実現される。
【図面の簡単な説明】
【図１】本発明のディスプレイシステムの構成図である。
【図２】ＭＤＭ（マイクロ・デバイス・ミラー）の概略平面図である。
【図３】ＭＤＭの概略正面図である。
【図４】本発明のディスプレイシステムの制御系のブロック図である。
【図５】本発明に用いる強誘電性液晶パネルの断面図である。
【図６】強誘電性液晶パネルと偏光板の関係を示す図である。
【図７】強誘電性液晶パネルの印加電圧と透過率の関係を示す図である。
【図８】本発明の２次ディスプレイに印加する電圧の波形図である。
【図９】映像情報をサブ映像情報に分割する状況の概念図である。
【図１０】本発明のディスプレイシステムの別の実施形態の構成図である。
【図１１】本発明のディスプレイシステムのさらに別の実施形態の構成図である。
【図１２】液晶パネルの概略斜視図である。
【符号の説明】
１、２　ガラス基板
３、４　透明電極
５　液晶
１１　書き込み光源
１２、１９　レンズ
１３　ミラー
１４　１次ディスプレイＡ
１５　１次ディスプレイＢ
１６　１次ディスプレイＣ
１７　２次ディスプレイ
１８　読み出し光源
２０　ハーフミラー
２１　基板
２２　ミラー
２３　支点
４１ａ、４１ｂ　ガラス基板
４２ａ，４２ｂ　透明電極
４３　光導電層
４４　誘電ミラー
４５ａ，４５ｂ　配向膜
４６　強誘電性液晶
４７　シール材
４８、５１、５２　偏光板
５３　液晶セル
６１、６２　１次ディスプレイＣ
【図１】
2004104641.tif 000003
【図２】
2004104641.tif 000004
【図３】
2004104641.tif 000005
【図４】
2004104641.tif 000006
【図５】
2004104641.tif 000007
【図６】
2004104641.tif 000008
【図７】
2004104641.tif 000009
【図８】
2004104641.tif 000010
【図９】
2004104641.tif 000011
【図１０】
2004104641.tif 000012
【図１１】
2004104641.tif 000013
【図１２】
2004104641.tif 000014